(57)【要約】【課題】熟練作業者によらなくても、外枠を適正な水平姿勢に容易に固定設置可能な縦型遊技機の枠構造を提供する。【解決手段】外枠１０にヒンジ機構を介して連結支持された前枠２０を有する縦型遊技機において、外枠の下部左右に高さ調整機構１００を設けて枠構造を構成する。各高さ調整機構は、底板１５に上下を連通して形成された開口部１５ａの上方に位置して取り付けられたベース部材１１０と、ベース部材に上下に移動可能に取り付けられて当接部１２６が下方に突出可能に配設された変位部材１２０と、変位部材の高さ位置を調整する調整ネジ１３０とを備え、左右の変位部材の高さ位置を調整して左右それぞれの当接部の張出量を調整することにより、外枠１０の左右方向の傾きを調整し得るように枠構造を構成する。【選択図】  図８
2004329453.tif 000002
【特許請求の範囲】
【請求項１】
外郭方形状に構成された外枠と、前記外枠に開閉可能に連結された前枠と、前記前枠の所要設定位置に装備された遊技構成部材とを有し、全体として縦向きに立設されて遊技に供される縦型遊技機において、
前記外枠の下部左右にそれぞれ高さ調整機構を設け、
前記左右各々の高さ調整機構は、
前記外枠における底板に上下を連通して形成された開口部と、
前記開口部の上方に位置して取り付けられたベース部材と、
前記ベース部材に上下に移動可能に取り付けられ、下端の当接部が前記開口部を通って下方に突出可能に配設された変位部材と、
前記変位部材の高さ位置を調整する調整手段とを備え、
左右の前記調整手段により左右の前記変位部材の高さ位置をそれぞれ調整し前記開口部を通って下方に突出する左右の前記当接部の張出量を調整することにより、前記外枠の左右方向の傾きを調整し得るように構成したことを特徴とする縦型遊技機の枠構造。
【発明の詳細な説明】
【０００１】
【発明の属する技術分野】
本発明は、外郭方形状に構成された外枠と、この外枠に開閉可能に連結された前枠と、前枠の所要設定位置に装備された遊技構成部材とを有する縦型遊技機に関し、なお詳細には、遊技機の左右方向の傾きを容易に調整し得る枠構造に関する。
【０００２】
【従来の技術】
上記のような外枠と前枠と遊技構成部材とを有した縦型遊技機として、パチンコ機やアレンジボール機、雀球機などが知られている。この種の遊技機の代表例とされるパチンコ機では、外郭方形状に構成された固定保持用の外枠と、この外枠の前側開口面域に合わせた方形状に構成された開閉搭載用の前枠とが、互いの一側縁に設けられた開閉連結支持機構を介して開閉可能に連結され、他側縁に設けられた施錠装置を利用して常には外枠の前面を覆う閉鎖姿勢に保持される。前枠には所要のゲージ設定で遊技領域が形成された遊技盤、遊技盤の前面を覆うガラス扉、遊技球を貯留する上下の球皿、球皿に貯留された遊技球を遊技盤に向けて発射する遊技球発射装置、球貯留タンクや球払出装置等を備えた裏セット盤、パチンコ機の作動を制御する各種制御基板や中継基板など、各種の遊技構成部材が各々の設定位置に装備されている。
【０００３】
ここで、上記のように遊技構成部材が装備されて前枠と遊技構成部材とが一つにまとめられた前枠全体（以下、「前枠構造体」という）はかなりの重量物体とされる。このため、パチンコ機では通常の形態として、重量のある前枠構造体と比較的軽量な外枠とが別に取り扱われるようになっており、このような前枠構造体が外枠に対して片持ち支持形態で連結されて開閉できるようになっている。ちなみに外枠は、木材や硬質樹脂材により形成された複数本の定尺枠部材を枠組み連結し、各隅角部に固定された補強金具で補強されている。また開閉連結支持機構は、外枠と前枠の互いの一側縁（例えば正面左側の側縁）上下に固定された外枠側および前枠側ヒンジ金具の軸ピンと軸孔との嵌合いヒンジ機構が一般に多用されている。
【０００４】
ところで、パチンコ機では本来の縦向き遊技提供状態において、重量物である前枠構造体が裏セット盤内に貯留・収容される多数個の遊技球を合わせて相当な重量となっている。このような実状にあって、外枠に対して左側縁上下のヒンジ機構で片持ち連結支持されている前枠は、ヒンジ機構の軸ピンと軸孔との嵌合差（径差）やヒンジ金具の撓みに起因して反支点側（正面右側）が下傾してしまい、水平姿勢・位置を保持できなくなる。この結果、前枠および収容枠の所定設計基準位置に装備されている遊技構成部材が傾き変位することになり、それぞれの球通流路の勾配変化による球流れ不良を招くことの他、特に遊技盤では遊技領域のゲージ設定条件が失われて本来の設計意図に基づく安定したゲームが展開維持し得なくなってしまう。それだけに前枠構造体を適正な姿勢・位置に保持することが重要であり、またその支持技術手段が不可欠とされている。
【０００５】
そこで、従来からパチンコ機に実施されている一般的な枠構造では、外枠を遊技施設の遊技島に設置する際に外枠を適正な姿勢・位置に調整して固定し、このように姿勢調整された外枠に前枠構造体を連結させて閉止したときに、前枠構造体が適正な姿勢・位置に支持されるように構成されている。具体的には、外枠と前枠の互いの下部整合部位、すなわち、外枠の前側開口面域下端に位置する耐久強度の高い支持台板（「幕板」という）の上端面において左右方向の傾きが水平になるように水平調整を行い、さらに外枠の前後方向の傾きが所定の後傾角度（一般に１度以内の後傾角度とされる）になるように傾斜調整を行って、外枠を適正な姿勢・位置に調整したうえで遊技島に釘打ち固定する。一方、ヒンジ機構と反対側にあたる右側の下部整合部分には、ヒンジ機構の連結支持高さ位置を基準とする係合支持部が設けられ、左側のヒンジ機構と右側の係合支持部とで前枠を支持することで、前枠を閉鎖した遊技提供時に前枠構造体が適正な左右方向の水平姿勢・位置および所定の後傾姿勢で保持されるように構成されている。
【０００６】
なお、係合支持部の構成としては、一般的には、幕板の上端右側に受け金具を設ける一方、前枠の下端右側にはこの受け金具と係脱可能な座部を下方に突出成型し、前枠を閉鎖したときに前枠側の座部が外枠側の受け金具に乗り上げるように係合して前枠構造体を支持する構成が用いられている。また、重量物である前枠構造体の開閉操作をより滑らかに実現するため、前枠側および外枠側の係合支持部のいずれか一方に回動可能な回転円盤を設け、回転円盤と平面（受け金具または座部）との係合によって前枠構造体を支持するように構成した枠構造が提案されている。（例えば、特許文献１を参照）。
【０００７】
【特許文献１】
特開２０００−１４３４９３号公報
【０００８】
【発明が解決しようとする課題】
ここで、上述したような従来の枠構造では、前枠構造体が適正な水平姿勢・位置に保持されるためには、その前提条件として、外枠が左右水平に位置決めされて固定されていることが当然に求められる。ところが、外枠が支持固定される遊技島の島棚板は常に左右水平であるとは限らず、現実的には外枠を固定する作業者が１台ずつ外枠の水平調整を行って釘打ち固定していた。水平調整の作業は、厚さの異なる複数種類のシム（間隔調整用の薄板）を準備しておき、幕板の上端面に水準器を載置して左右方向の傾斜を確認しながら、島棚板と外枠の底板との間に挟み込む位置およびシムの厚さを調整し、幕板上端面が左右水平になった設定状態でシムとともに底板を釘打ち固定（仮止め）して行われていた。また、外枠の前後方向の傾斜調整は、上記のように外枠の底板を左右水平に仮止めしたうえで、外枠上方の枠板を後方に押圧して外枠全体を前記所定の後傾角度に設定し、その後傾角度を保持して左右の枠板および上方の枠板を遊技島に釘打ち固定することにより行われていた。
【０００９】
このため、外枠の姿勢・位置の調整および固定作業は相当の熟練を要する作業であり、島大工と称される設置専門の作業者が必要とされていた。また、設置作業に際して厚さの異なる多数のシムを準備する必要や、既設の遊技機から取り外されたシムを廃棄処理する必要があり、これらに起因する付帯工数が少なくないという問題があった。さらに、一旦左右方向の水平調整を行って仮止めしても、前後方向の傾斜調整を行って釘打ち固定すると、その衝撃や押圧力等により左右方向の傾きが変化する場合もあり、このような場合には打ち込んだ釘を引き抜いて再度水平調整を行わなければならないなど、熟練作業者にとっても神経を使う繁雑な作業であるという問題があった。
【００１０】
本発明は、このような問題に鑑みて成されたものであり、シム等の補材を準備する必要がなく、また熟練作業者によらなくても外枠を容易に適正な左右水平の姿勢・位置に設定可能な枠構造を提供することを目的とする。
【００１１】
【課題を解決するための手段】
上記目的達成のため、本発明は、外郭方形状に構成された外枠と、この外枠に開閉可能に連結された前枠と、前枠の所要設定位置に装備された遊技構成部材とを有し、全体として縦向きに立設されて遊技に供される縦型遊技機において、外枠の下部左右にそれぞれ高さ調整機構を設けて枠構造を構成する。左右各々の高さ調整機構は、外枠における底板に上下を連通して形成された開口部と、開口部の上方に位置して取り付けられたベース部材と、ベース部材に上下に移動可能に取り付けられ下端の当接部が開口部を通って下方に突出可能に配設された変位部材と、変位部材の高さ位置を調整する調整手段とを備えており、左右の調整手段により左右の変位部材の高さ位置をそれぞれ調整し開口部を通って下方に突出する左右の当接部の張出量を調整することにより、外枠の左右方向の傾きを調整し得るように構成される。
【００１２】
このような構成の枠構造では、外枠の下部左右に高さ調整機構が設けられており、各高さ調整機構の調整手段により左右それぞれの変位部材の高さ位置を調整して下方に突出する当接部の張出量を調整することにより、外枠の左右方向の傾きを調整できる。例えば、島棚板上の所定取付位置に外枠を配置し、幕板の上端面に水準器を載置して左右方向の傾斜を見たときに、その傾きが右下がりである場合には、右側の高さ調整機構の調整手段を用いて変位部材を下動させ、下端の当接部を開口部から張り出させて島棚板に当接させ、水準器の指標が左右水平になるまで変位部材を張り出して外枠の右側部分を持ち上げ支持させる。そして左右水平の張出位置で底板を釘打ち固定することにより外枠が左右水平の姿勢に固定保持される。外枠の傾斜方向が上記と逆の場合には、左側の高さ調整機構を利用して同様に水平出しをすることができ、また、外枠の左右両側が浮き上がるような場合（左右中央部が持ち上げられるような場合）には、左右両方の高さ調整機構を利用して安定した水平姿勢・位置に設定することができる。従って、本構成の枠構造によれば、シム等の補材を用いることなく、また熟練作業者によらなくても外枠を容易に適正な左右水平の姿勢・位置に設定することができる。
【００１３】
【発明の実施の形態】
以下、本発明の好適な実施形態について図面を参照しながら説明する。本発明に係る枠構造を備えた縦型遊技機の一例として、遊技島に取り付けられた状態におけるパチンコ機ＰＭを図１に示しており、まずこの図面を参照してパチンコ機ＰＭの全体概要について説明する。なお図１では、遊技島の手前側に取り付けられたパチンコ機の正面図（ａ）と、遊技島の反対側に取り付けられたパチンコ機の背面図（ｂ）とを、図中の右側と左側とに並べて示している。
【００１４】
パチンコ機ＰＭは、所定の外郭方形枠サイズに構成されて縦向きの固定保持枠をなす外枠１０の前面側に、外枠１０の前側開口面域に合わせた方形枠サイズに構成されて開閉搭載用の前枠２０が、互いの正面左側縁上下に配設された開閉連結支持機構１，２で横開き開閉および着脱が可能に取り付けられ、正面右側に設けられた施錠装置３を利用して常には外枠１０と係合された閉鎖状態に保持される。
【００１５】
前枠２０には、遊技構成部材として、前枠２０の前面域に合わせた方形状のガラス扉４、上下の球皿６，７、発射ハンドル８、遊技球発射装置９および関連部材、球貯留タンクや球払出装置等の賞球機構を有する裏セット盤３０、各種の電気部品や制御・中継基盤等が、それぞれの所要設定位置に装備され、また所定のゲージ設定（各種遊技部品と多数本の遊技釘とを合わせた配置設定）に基づく遊技領域ＰＡを構成した遊技盤５が前枠に一体成型された収容枠に水平姿勢・位置の縦向きで着脱交換可能にセット保持されている。
【００１６】
外枠１０は、木材や樹脂材等で成形加工された複数本の定形尺の枠板部材、すなわち上下の枠板１１，１４および左右の枠板１２，１３を直角に枠組み連結すると共に、各隅角部に補強金具１８を固定して構成される。下枠板１４は、底板１５の上面前縁に沿って支持台板としての幕板１６が、左右の枠板１２，１３間に亘って連結されて頑強な耐久強度を有する構造とされる。なお外枠１０の前側開口面域とは、上枠板１１および左右の枠板１２，１３の前面と下枠板１４における幕板１６の上面とに亘る方形面域をいう。
【００１７】
前枠２０は、樹脂材や木材等で外枠１０の前側開口面域に合わせた若干小型枠に構成されており、遊技盤５を収容保持する収容枠を一体に形成したタイプと別体で形成したタイプとがあるが、本実施例ではＡＢＳ樹脂等の樹脂材料を用い射出成型等の成形手段で収容枠を含めて一体樹成型したタイプを示す。そして上下の開閉連結支持機構１，２は、一般的な形態として外枠１０と前枠２０との所定位置に固定されて互いに整合し得るヒンジ金具１ａ，１ｂおよび２ａ，２ｂの軸ピンと軸孔との嵌挿ヒンジ形態とされている。
【００１８】
パチンコ機ＰＭでは、前枠２０の所要各部に上記のような遊技構成部材が装備されて一つにまとめられた前枠構造体が形成され、この前枠構造体が互いの左側縁上下に設けられたヒンジ金具１ａ，１ｂおよび２ａ，２ｂを利用して着脱可能に、そしてこれらを連結させた片持ち支持形態で前方への引出開放と後方への押し込み閉鎖ができるようになっている。
【００１９】
一方、パチンコ機が設置される遊技施設の遊技島４０は、左右に延びて張り渡されたテーブル状の島棚板４１、この島棚板の上方に島棚板と平行に左右に延びて張り渡された島上板４２、島上板４２の前方を覆う化粧扉４３、化粧扉に取り付けられた報知ランプ４４、パチンコ機の下部後方に配設されてパチンコ機から排出される遊技済み球を回収する球回収バケット４５、および図示省略するがパチンコ機の上部後方に配設されてパチンコ機の球貯留タンクに遊技球を供給する遊技球供給樋などから構成される。島棚板４１および島上板４２は木製の板材を加工して張り渡され、遊技者側のテーブル部分等には適宜金属製の化粧板が貼り付けられている。
【００２０】
さて、以上のように概要構成されるパチンコ機ＰＭにあって、図２にパチンコ機ＰＭの下部の平断面図を示すように、外枠１０の下部左右に高さ調整機構が装備されており、これらの左右の高さ調整機構を利用してパチンコ機ＰＭの左右方向の水平調整、および前後方向への傾斜調整が容易に行えるようになっている。以下では、まず第１実施例の高さ調整機構１００について、図３〜図６の各図を参照しながら説明する。なお、図３は高さ調整機構１００の分解斜視図、図４は高さ調整機構１００の側面図（部分断面図）、図５および図６は背面視左側の高さ調整機構１００の平面図および背面図である。
【００２１】
高さ調整機構１００は、外枠１０における底板１５に上下を連通して形成された開口部１５ａと、この開口部１５ａの上方に位置して取り付けられたベース部材１１０と、ベース部材１１０に上下に移動可能に取り付けられ下端の当接部が開口部１５ａを通って下方に突出可能に配設された変位部材１２０と、変位部材１２０の高さ位置を調整する調整ネジ１３０およびナット１１３からなる調整手段とを備え、調整ネジ１３０を回動操作することで変位部材１２０の高さ位置を調整し、開口部１５ａを通って下方に突出する当接部の張出量を調整可能に構成されている。
【００２２】
ベース部材１１０は、下方に開くコの字状に形成された変位部材収容部１１１と、この変位部材収容部１１１の前後が水平に折り曲げられて形成された前後のフランジ部１１５，１１６とを主体として構成される。変位部材収容部１１１には、前後平行に延びる立設面に昇降規制ネジ１４２，１４２を挿通させるネジ受け孔１１２，１１２が穿設され、変位部材収容部１１１の上面中央部には、上下貫通する円孔が穿設されてその上方にナット１１３が固着されている。
【００２３】
前後のフランジ部１１５，１１６には、ベース部材１１０を底板１５にネジ固定するためのネジ挿通孔１１７がそれぞれ複数穿設され、後方のフランジ部１１６には外枠固定用の固定釘を案内するガイド孔１１８が設けられている。ベース部材１１０は、例えば、板厚２．３ｍｍ程度の冷間圧延鋼板をプレス加工等により打ち抜きおよび曲げ成形して図示する側面視ハット形状に加工成形したうえ、ナット１１３を溶接またはカシメ等の手段により固着し、ユニクロメッキ等の所要の表面処理を施して形成される。
【００２４】
変位部材１２０は、ベース部材１１０の変位部材収容部１１１に収容されるブロック状の本体部１２１を主体とし、この本体部１２１を前後に貫通して上下に延びる長穴状の支持孔部１２２，１２２、本体部１２１の上端面から本体内部に穿設された段付き穴状の調整ネジ受容穴１２３、本体部１２１の前面または後面から調整ネジ受容孔１２３に向けて形成されたサラモミ穴形態のネジ係止穴１２５、本体部１２１の下端に形成された側断面視円弧状の当接部１２６等から構成される。変位部材１２０は、ＡＢＳ樹脂等の樹脂材料を用いて射出成型等の成形手段で形成される。
【００２５】
調整ネジ１３０は、上端に形成された工具係合部１３１、工具係合部から下方に延びてナット１１３と螺合する雄ネジ部１３３、雄ネジ部１３３の先端側が小径に段落としされて下方に延びる支柱部１３４、支柱部の先端側に形成されたネジ係合溝１３５、などからなり、例えば、市販の六角ボルトを追加工して形成される。なお、六角穴付きボルトや十字スリ割り付きのボルト等、工具係合部１３１が他の形態のボルトを利用することも可能である。
【００２６】
変位部材１２０は、本体部１２１を変位部材収容部１１１に収容させ、変位部材収容部の前方からネジ受け孔１１２および支持孔部１２２を通して左右の昇降規制ネジ１４２をそれぞれ挿通させ、変位部材収容部１１１の後方に突出した昇降規制ネジ１４２のネジ部に座金１４３を掛止しナット１４４を螺合させて締め込むことにより、長穴状のネジ受け部１１２の可動範囲内で変位部材収容部１１１に上下に摺動変位自在に支持される。
【００２７】
次いで、変位部材収容部１１１の上方に固着されたナット１１３に調整ネジ１３０の支柱部１３４を挿通して、支柱部の先端側を変位部材１２０の調整ネジ受容穴１２３に嵌入し、雄ネジ部１３３をナット１１３に螺合させてねじ込む。そして調整ネジ１３０が螺合に応じて一定量下動したところで、変位部材１２０を上動させ、調整ネジ受容穴１２３上方のザグリ穴形態の支持面を雄ネジ部１３３下端の円環状の端面に当接させる。
【００２８】
そしてこのときにネジ係合溝１３５と位置整合するネジ係止穴１２５に、先端丸先のサラ小ネジ１４５を螺合させて先端の丸先部をネジ係合溝１３５に係合させる。このサラ小ネジ１４５の先端部とネジ係合溝１３５との係合により、変位部材１２０と調整ネジ１３０とが一定の高さ位置関係を保持しつつ、変位部材１２０に対する調整ネジ１３０の相対回動を許容する。
【００２９】
このため、調整ネジ１３０をネジ軸まわりに回動させると、調整ネジ１３０が雄ネジ部１３３とナット１１３との螺合に応じてベース部材１１０に対して上下に移動し、変位部材１２０がこの調整ネジ１３０の上下移動とともにベース部材１１０に対して上下に昇降移動する。
【００３０】
なお、図４からも明らかなように、変位部材１２０におけるネジ係止穴１２５および調整ネジ１３０におけるネジ係合溝１３５の形成高さ位置は、上記のように雄ネジ部１３３をナット１１３に螺合させたときに、フランジ部１１５，１１６よりも下方に位置するように設定されており、フランジ部の前方または後方から一般工具を用いてサラ小ネジ１４５を係止できるように構成されている。
【００３１】
一方、外枠１０における底板１５の左右には、この高さ調整機構１００の取付位置および変位部材１２０の形状寸法に合わせた矩形形状の開口部１５ａが、底板１５を上下に貫通して形成されている。なお、図２では左右方向の水平調整を感覚的にも容易に行えるように、外枠１０の左右対称位置に配設した例を示す。
【００３２】
そして、これらの左右の開口部１５ａの上方に、前述したように部分組立された高さ調整機構が組み付けられる。本実施例に示す高さ調整機構１００では、ベース部材１１０における前後のフランジ部１１５，１１６の端面寸法を底板１５の上面内側寸法（左右の枠板１２，１３の前後方向寸法）と同一寸法に形成しており、開口部１５ａに変位部材１２０を嵌挿して前方のフランジ部１１５を幕板１６の後面に突き当てたとき（または後方のフランジ部１１６を底板１５の後端面に合わせたとき）に、ベース部材１１０が前後方向の適正な位置に配設されるようになっている。
【００３３】
このため、組み付け作業を行う作業者は、下端の当接部１２６が開口部１５ａから下方に突出しない程度の高さ位置に変位部材１２０を設定して開口部１５ａに嵌挿し、前方のフランジ部１１５を幕板後面に突き当てることでベース部材１１０を前後方向に位置決めすることができ、あとは変位部材１２０と開口部１５ａとの左右方向のクリアランスを確認し、各フランジ部１１５，１１６のネジ挿通孔１１７，１１７に固定ネジ１４７，１４７…を打ち込むことで、部分組立された高さ調整機構を底板１５の左右所定位置に固定することができる。なお、例えば、底板１５にベース部材１１０の左右方向幅に合わせた溝加工を施し、あるいは左右方向の突き当て端面を設けることで、ベース部材１１０を前後左右に容易に位置決めすることも可能である。
【００３４】
そして、このようにしてベース部材１１０が底板１５に固定されると、調整ネジ１３０をネジ軸まわりに回動させたときに、調整ネジ１３０がその回動角度とネジ部のピッチとの関係に応じた移動量で上下に移動し、この調整ネジ１３０に係合された変位部材１２０が調整ネジ１３０とともに外枠１０に対して昇降移動する。このため、調整ネジ１３０を回動させてその回動角度位置を調整することで、開口部１５ａの内部に位置する当接部１２６の高さ位置を変位させることができ、開口部１５ａから下方に当接部１２６を出没させ、またその突出量を調整することができる。
【００３５】
このため、外枠１０の下部左右に高さ調整機構１００，１００が設けられたパチンコ機ＰＭでは、外枠１０を遊技島４０に固定設置する際に、この左右の高さ調整機構１００，１００を利用して、外枠１０の左右方向の水平調整、および前後方向への傾斜調整を容易に行うことができる。
【００３６】
すなわち、パチンコ機ＰＭは、前述した従来のパチンコ機と同様に、機体の左右方向の水平調整（以下、単に「水平調整」という）および前後方向への傾斜調整（同様に「傾斜調整」という）を、外枠１０を遊技島４０に固定設置する際に行い、水平調整および傾斜調整（これらをまとめて「姿勢調整」という）された外枠に前枠構造体を係合連結させて閉鎖した時にパチンコ機全体が適正な姿勢・位置に保持される形態の縦型遊技機であり、左右の高さ調整調整機構１００，１００を利用することにより、熟練作業者でなくても外枠の姿勢調整を容易にかつ簡単に行えるようになっている。
【００３７】
外枠１０の姿勢調整は、開閉連結支持機構１，２により前枠構造体を分離した外枠単体で行われ、外枠１０を島棚板４１の目的とする取付位置に配置してまず左右方向の水平調整を行い、次に底板１５を島棚板４１に仮止めした状態で前後方向の傾斜調整を行い、そしてこれらの調整作業により適正な姿勢・位置に設定された外枠１０の底板１５を島棚板４１に、上枠板１１を上島板４２に固定するようにして行われる。なお、外枠１０の設置作業は遊技島４０の前方から行われるため、以降ではパチンコ機ＰＭを正面から見たときの左右方向をもって左右と称し、便宜的に正面右側の高さ調整機構を１００Ｒ、正面左側の高さ調整機構を１００Ｌと表示して説明する。
【００３８】
まず、外枠１０の水平調整では、幕板１６の上端面が基本的な測定位置とされ、幕板１６の上端面に水準器を載置して左右方向の傾斜を観察して、傾斜下方に当たる高さ調整機構の変位部材１２０を張り出させて当該下方の側を持ち上げること、あるいは傾斜上方に当たる高さ調整機構の変位部材１２０を開口部１５ａ内に収容させて当該上方の側を下げることにより行われる。
【００３９】
例えば、幕板１６の上端面に載置した水準器の指標が右下がりである場合には、右側の高さ調整機構１００Ｒにおける調整ネジ１３０を時計回りに回動させて変位部材１２０を下動させ、下端の当接部１２６を開口部１５ａから張り出させて島棚板４１に当接させ、水準器の指標が水平になるまで変位部材１２０を張り出させて外枠１０の右側部分を持ち上げ支持させる。
【００４０】
あるいは、初期設定として、左右の高さ調整機構１００Ｌ，１００Ｒにおける変位部材１２０，１２０の高さ位置を、下端の当接部１２６，１２６がともに開口部から一定量突出して配設されるように調整しておき、この状態から上記のように右側の高さ調整機構１００Ｒの変位部材１２０を張り出させて外枠１０の右側を持ち上げさせ、あるいは逆に、左側の高さ調整機構１００Ｌの変位部材１２０を引き込んで外枠１０の左側を下げさせて水平調整を行う。外枠１０の左右両側が島棚板４１から浮き上がるような場合（底板１５の中央部が持ち上げられるような場合）にも、この方法で水平調整を行うことができる。
【００４１】
そして、上記水平調整により外枠１０が左右方向に水平姿勢となった状態で、図８に示すように、後方のフランジ部１１６のガイド穴１１８に固定釘１４８を打ち込み底板１５を仮止めする。これにより、外枠１０が左右水平姿勢で島棚板４１上に仮止めされる。なお、図８には前枠２０を含む高さ調整機構１００の側断面図を示し、図９にはパチンコ機ＰＭの外枠１０と島棚板４１および島上板４２との関係を側面図として示している。
【００４２】
次に、外枠１０の前後方向の傾斜調整を行う。外枠１０の傾斜調整では、左右の枠板１２，１３の前端面が測定位置とされ、枠板の前端面に専用の水準器を突き当てて前後方向の傾斜を観察し、左右の枠板が基準の後傾角度（一般に１度以内の後傾角度）になるように傾斜調整を行う。傾斜調整は高さ調整機構を用いずに従来同様の手作業によりに行うことも可能であるが、左右の高さ調整機構１００，１００を用いることによりさらに容易に行うことができる。左右の高さ調整機構１００，１００を用いた傾斜調整作業は、仮止めされた底板後部に対して、前方に位置する変位部材１２０の張出量を調整することにより行われる。
【００４３】
具体的な傾斜調整作業では、左右いずれかの枠板を基本として（一般的には開閉連結支持機構１，２が設けられた左側の枠板１２を基本として）左右の高さ調整機構１００Ｌ，１００Ｒを同一量調整し、底板１５を含む外枠全体を所定の後傾角度に傾斜調整する。そして他方の枠板（右側の枠板１３）の傾斜状態を水準器を用いて確認し、もし基準後傾角度と異なっている場合には、この他方の枠板の後傾角度を微調整することにより行われる。
【００４４】
例えば、外枠１０の基準後傾角度を仮に１度とし、左側の枠板１２の前端面に水準器を当てたときの枠板の後傾角度が０．３度程度の表示指標であった場合には、左右の高さ調整機構１００Ｌ，１００Ｒの調整ネジ１３０，１３０をともに時計回りにネジピッチに応じた同一角度回動させて変位部材１２０，１２０を下動させ、左側の枠板１２に当てた水準器の表示指標が基準後傾角度になるまで左右の変位部材１２０，１２０を張り出させて、底板１５の前方部分を持ち上げさせる。
【００４５】
このとき調整ネジ１３０の工具係合部１３１にスパナを掛けて回動することで、仮止め用に打ち込まれた固定釘１４８の抗力によらず変位部材を張り出させることができる。また変位部材下端の当接部１２６が傾斜方向に対して比較的大きな円弧状に形成されているため、外枠１０の傾斜調整を滑らかに行い得るとともに、遊技提供時を含めて一定かつ低い面圧で荷重を支持させることができる。
【００４６】
次に、左側の枠板１３を基本として底板１５を含む外枠１０全体が基準後傾角度に設定された状態で、右側の枠板１３の傾斜状態を水準器を用いて確認し、このときにもし右側の枠板１３の傾斜角度が基準後傾角度と異なっている場合には、右側の枠板１３の上端部を前方または後方に軽く押圧して基準後傾角度と一致するように微調整する。例えば、左側の枠板１２の傾斜角度が基準後傾角度の１度に設定された状態で、右側の枠板１３の後傾角度が０．８度程度の場合には、右側の枠板１３の上端部を軽く後方に押圧して後傾させ、後傾角度が１度になる角度位置に設定する。
【００４７】
そして、以上のような水平調整と傾斜調整とによって、外枠１０が左右方向に水平で前後方向に所定の後傾角度になった姿勢位置で島上板４２の上方から上枠板１１に固定釘を打ち込み、また仮止め状態であった底板１５の固定釘１４８を完全に打ち込んで外枠１０を遊技島４０に固定する。これにより、外枠１０が適正な水平姿勢および後傾姿勢で遊技島４０に固定設置される。
【００４８】
前枠２０は、このように適正な水平姿勢および後傾姿勢に調整された外枠１０に開閉連結支持機構１，２を利用して係合連結させ、外枠の前側開口面域を塞ぐように閉止させることで、この外枠１０に倣って適正な適正な姿勢・位置に支持されるようになっている。すなわち、開閉連結支持機構１，２と反対側にあたる右側の下部整合部分には、開閉連結支持機構による連結支持高さ位置を基準とする係合支持部が設けられ、左側の開閉連結支持機構と右側の係合支持部とで前枠２０を支持することで、前枠２０およびこの前枠に取り付けられた各遊技構成部材（前枠構造体）が適正な姿勢で保持されるように構成されている。
【００４９】
なお、係合支持部の構成は、従来から公知のいずれの構成を用いてもよいが、例えば、図８には、幕板１６の上端部に受け金具１９を設け、前枠２０の下端部にはこの受け金具１９と係脱可能な座部２９を下方に突出成型し、前枠２０を閉鎖したときに座部２９が受け金具１９に乗り上げるように係合して、開閉連結支持機構１，２による連結支持高さ位置を基準とした適正な姿勢・位置に前枠構造体を支持する構成例を示している。
【００５０】
従って、以上説明した高さ調整機構１００を備えたパチンコ機では、複数種類の厚さのシムを準備したり、水準器による表示指標から適当と思われるシムを選択して挟み込みその変化から再調整するなど、経験や勘に基づく複雑な調整作業を必要とせず、水準器の表示指標に応じて左右の調整ネジ１３０を回動操作することで外枠１０を容易に適正な姿勢・位置に固定設置することができ、パチンコ機を適正な姿勢に設置することができる。
【００５１】
なお、以上では変位部材１２０と調整ネジ１３０とが、サラ小ネジ１４５によって係合され、両部材間の相対回動を許容しつつ一体的に上下移動する形態の高さ調整機構１００を例示したが、図７に示すように、調整ネジ１３０´としてネジ先端部１３７が球面状に成形された丸先形態の六角ボルトを利用するとともに、変位部材１２０´の上部整合位置にネジ先端部１３７の球面形状に合わせた球面座１２７を設け、変位部材１２０´が上方に押圧されたときに、球面座１２７がネジ先端部１３７に当接して係合し、相対回動を許容しつつ変位部材１２０´を支持するように高さ調整機構１００´を構成してもよい。
【００５２】
このような高さ調整機構１００´では、変位部材１２０´は支持孔部１２２と昇降規制ネジ１４２との係合により長孔の形成高さ範囲で移動可能に支持されており、下端の当接部１２６が開口部１５ａから突出可能である一方、上記昇降規制ネジ１４２と支持孔部１２２との係合により変位部材１２０´が抜け落ちるようなことがない。また外枠１０の姿勢調整時には調整ネジ１３０´の雄ネジ部１３３とベース部材１１０のナット１１３との螺合に応じてネジ先端部１３７と球面座１２７とが係合し、調整ネジ１３０´の高さ位置に応じて変位部材１２０´が下方に張り出される。
【００５３】
このため、本実施例に示す高さ調整機構１００´においても上述した高さ調整機構１００と同様に外枠１０の水平調整および傾斜調整を行うことができ、上述同様の効果を得ることができるほか、簡明な機構構成により低コストな高さ調整機構を提供することができる。
【００５４】
次に、第２実施例の高さ調整機構２００について、図１０〜図１３の各図を参照しながら説明する。ここで、図１０は高さ調整機構２００の斜視図、図１１および図１２はそれぞれ背面視左側の高さ調整機構２００の平面図および背面図、図１３は高さ調整機構２００の側面図（部分断面図）である。
【００５５】
ここで、上記各図からも明らかなように、本実施例では、前述した外枠１０における下枠板１４の底板１５と幕板１６とを、ＡＢＳ樹脂等の樹脂材により一体成型した構成を例示しており、この下枠板５０では、底板部５１および幕板部５２に加えて、左右側方の枠板１２，１３と連結される側枠支持部５３、所要各部に形成された補強リブ５４、高さ調整機構のベース部材２１０を固定支持する円筒状の支持ボス５７並びに固定釘１４８を案内するガイドボス５８、高さ調整機構の変位部材を上下に挿通させる円孔状の開口部５１ａ、前枠２０の下面に形成された座部２９を当接支持する受け部５９などが一体に形成されている。なお外枠１０におけるその余の部分や前枠２０側の各部は前述したパチンコ機ＰＭと同様であるため、同様部分に同一番号を付して重複説明を省略し、以下高さ調整機構２００の構成について説明する。
【００５６】
高さ調整機構２００は、底板部５１に上下を連通して形成された開口部５１ａと、この開口部５１ａの上方に位置して取り付けられたベース部材２１０と、ベース部材２１０に上下に移動可能に取り付けられ下端の当接部が開口部５１ａを通って下方に突出可能に配設された変位部材２２０と、変位部材の雄ネジ部２２３およびベース部材のナット２１３からなり変位部材２２０の高さ位置を調整する調整手段とを備え、変位部材２２０を回動操作することでその高さ位置を調整し、開口部５１ａを通って下方に突出する当接部２２６の張出量を調整可能に構成されている。
【００５７】
ベース部材２１０は、下方に開くコの字状に形成された変位部材収容部２１１と、この変位部材収容部２１１の前後が水平に折り曲げられて形成された前後のフランジ部２１５，２１６とを主体として構成される。変位部材収容部２１１の上面中央部には上下貫通する円孔が穿設されるとともに、この円孔の下側すなわち変位部材収容部２１１の内側にナット２１３が溶接等により固着されている。
【００５８】
前後のフランジ部２１５，２１６には、底板部５１に形成された支持ボス５７と位置整合してベース部材２１０をネジ固定するためのネジ挿通孔２１７が設けられ、後方のフランジ部２１６には底板部５１に形成されたガイドボス５８と位置整合して外枠固定用の固定釘１４８を案内するガイド孔２１８が設けられている。ベース部材２１０は、前述したベース部材１１０と同様の金属材料を用いて同様の製作手段により形成される。
【００５９】
変位部材２２０は、上端に形成された工具係合部２２１、工具係合部から下方に延びてナット２１３と螺合する雄ネジ部２２３、雄ネジ部２２３の先端に球面状に加工成形された当接部２２６などからなり、例えばネジ先端部が丸先形態の六角ボルトやネジ先端部に鋼球を埋め込んだいわゆるクランピングボルトが利用される。なお、鋼球の端面を平坦に削り落としてクランプ面を形成した揺動追従型のクランピングボルトを用いることも好ましい。
【００６０】
一方、底板部５１の左右には、高さ調整機構２００を取り付ける調整機構取付部が左右対称位置に形成されている。各取付部には、変位部材２２０の外径に合わせた円孔状の開口部５１ａ、開口部５１ａの前後に上方に突出して形成された円筒状の支持ボス５７並びにガイドボス５８が成型されている。
【００６１】
そこで、ベース部材２１０を調整機構取付部に載置し、前後プレート部２１５，２１６をそれぞれ前後の支持ボス５７，５７に支持させてネジ挿通孔２１７を位置合わせし、上方から固定ネジ２４７，２４７をねじ込んでベース部材２１０を固定する。そして、変位部材収容部２１１の上方の円孔に変位部材２２０の当接部２２６を嵌挿し、雄ネジ部２２３をナット２１３に螺合させてねじ込むことで変位部材２２０がベース部材２１０に取り付けられ、高さ調整機構２００が形成される。
【００６２】
こうして高さ調整機構２００が組み付けられると、変位部材２２０は雄ネジ部２２３とナット２１３との螺合に応じた高さ位置で上下移動可能に支持され、変位部材２２０をネジ軸まわりに回動させたときに、その回動角度とネジピッチとに応じた移動量で変位部材２２０が上下に移動する。このため、変位部材２２０の回動角度位置を調整することで、当接部２２６の高さ位置を変位させることができ、開口部５１ａから下方に当接部２２６を出没させ、またその突出量を調整することができる。
【００６３】
このため、本構成の高さ調整機構２００を備えたパチンコ機においても、左右の高さ調整機構２００，２００を利用することで、前述した高さ調整機構１００を備えたパチンコ機ＰＭと同様に、外枠１０の左右方向の水平調整、および前後方向への傾斜調整を容易に行うことができる。なお、この高さ調整機構２００を利用した外枠１０の水平調整および傾斜調整の操作手順並びに作用は、既述した高さ調整機構１００を利用した姿勢調整と同様である。そこで、以下では確認的にこの高さ調整機構２００を利用した水平調整について簡潔に説明する。
【００６４】
外枠１０の水平調整は、幕板部５２の上面に水準器を載置して左右方向の傾斜を観察し、傾斜下方側の高さ調整機構の変位部材２２０を張り出させて当該下方側を持ち上げること、あるいは傾斜上方側の高さ調整機構の変位部材２２０を引き込んで当該上方側を下げることにより行われる。例えば、幕板５２の上面に載置した水準器の指標が右下がりである場合には、右側の高さ調整機構の変位部材２２０を時計回りに回動させて下動させ、下端の当接部２２６を開口部５１ａから張り出させて島棚板４１に当接させ、水準器の指標が水平になるまで変位部材２２０を張り出させて外枠１０の右側部分を持ち上げ支持させる。
【００６５】
あるいは、初期設定として、左右の変位部材２２０を張り出させて下端の当接部１２６がともに開口部５１ａから一定量突出して配設されるように設定しておき、この状態から左側の高さ調整機構の変位部材２２０を引き込んで外枠１０の左側を下げさせて水平調整を行う。外枠１０の左右両側が島棚板４１から浮き上がるような場合にも、この方法で水平調整を行うことができる。
【００６６】
そして、上記水平調整により外枠１０が左右方向に水平姿勢となった状態で、図１３に示すように、後方のフランジ部のガイド穴２１８およびガイドボス５８に固定釘２４８を嵌入し、軽く打ち込んで底板部５１を仮止めする。これにより、外枠１０が左右水平姿勢で島棚板４１上に仮止めされる。
【００６７】
以降は、高さ調整機構１００について前述したと同様の傾斜調整操作により、外枠１０を適正な姿勢・位置に固定設置することができる。なお、本構成の高さ調整機構２００では、図１３に示すように、底板部５１の底面後方に基準後傾角度に相当する傾斜支持面５１ｂが形成されており、傾斜調整を容易に行いうる構成になっている。また変位部材の当接面２２６が球面状に形成されているため、変位部材２２０の回動角度位置や外枠の傾斜状態に拘わらず一定の接触面が得られるようになっている。一方、前述した揺動追従型のクランピングボルトを用いる構成とすれば、これと同様の効果が得られるほか当接部の接触面圧を低減して島棚板４１に作用する応力を低減することができる。
【００６８】
従って、以上説明した高さ調整機構２００においても、前述した高さ調整機構１００と同様に外枠１０の水平調整および傾斜調整を容易に行うことができ、高さ調整機構１００と同様の効果を得ることができるほか、機構構成をより簡明化し並びに小型化して、さらに低コストな高さ調整機構を提供することができる。
【００６９】
さて、上述した高さ調整機構２００は、例えばともに側面図である図１３と図７とを比較してもわかるように、高さ調整機構１００´における変位部材１２０´を廃止し、調整ネジ１３０´のネジ先端部１３７を底板の開口部から直接下方に突出させるように構成し、機構構成の簡明化および小型化を図った形態である。一方、高さ調整機構２００のように、変位部材２２０の高さ位置を調整したときに当接部２２６が昇降移動のみならず回動もする場合には、遊技施設の島棚板４１の表面状態（例えば摩擦係数や傾斜等）によっては、当接部２２６の回動に伴って外枠１０が変位（いわゆる味噌すり運動）してしまうおそれもある。
【００７０】
そこで、第３実施例の高さ調整機構３００を図１４に示すように、小型の変位部材３２０を用いた構成とすることも好ましい実施の形態である。すなわち、この高さ調整機構３００では、上述したベース部材２１０と略同様の構成を有するベース部材２１０´（図１４では後方のフランジ部２１６にネジ挿通孔２１７を２箇所設けた例を示す）と、このベース部材２１０´に上下に移動可能に取り付けられ下端の当接部３２６が開口部を通って下方に突出可能に配設された変位部材３２０と、変位部材３２０の高さ位置を調整する調整ネジ３３０およびナット２１３からなる調整手段とを備え、調整ネジ３３０を回動操作することで変位部材３２０の高さ位置を調整し、開口部を通って下方に突出する当接部の張出量を調整可能に構成される。
【００７１】
ここで、変位部材３２０は、変位部材収容部２１１に収容される小型ブロック状の本体部３２１を主体とし、その上端面から本体内部に穿設された調整ネジ受容穴３２３、本体部３２１の側面から調整ネジ受容孔３２３に向けて形成されたサラモミ穴形態のネジ係止穴３２５、本体部３２１の下端に形成された側断面視円弧状の当接部３２６等から構成される。変位部材３２０は、ＡＢＳ樹脂等の樹脂材料またはアルミ合金等の金属製材を用いて公知の成形手段で形成される。なお、図１５に示すように当接部３２６´を先端円弧のテーパ状に形成してもよく、ネジ係止穴３２５を本体部３２１´の前方または後方に形成して変位部材３２０´を構成してもよい。
【００７２】
一方、調整ネジ３３０は、上端に形成された工具係合部３３１、工具係合部から下方に延びてナット２１３と螺合する雄ネジ部３３３、雄ネジ部３３３の先端部に形成されたネジ係合溝３３５、などからなり、例えば市販の六角ボルトを追加工して形成される。なおネジ係合溝３３５および上記ネジ係止穴３２５は、既述した高さ調整機構１００におけるネジ係合溝１３５およびネジ係止穴３２５と同様の係合形態である。
【００７３】
これらのベース部材２１０、変位部材３２０、調整ネジ３３０は、調整ネジ３３０の雄ネジ部３３３をナット２１３に螺合させてねじ込み、変位部材収容部２１１側から変位部材３２０を挿入して調整ネジ受容穴３２３に調整ネジ３３０の先端部を嵌合させ、側方からネジ係止穴３２５にサラ小ネジ１４５を螺合させてその先端部を調整ネジ３３０のネジ係合溝３３５に係合させることで一体に部分組立される。
【００７４】
そして、このように部分組立された機構部を、底板部５１または底板１５の左右所定位置にネジ固定することで、外枠１０の下部左右に高さ調整機構３００が配設される。こうして高さ調整機構３００が組み付けられると、調整ネジ３３０の雄ネジ部３３３とナット２１３との螺合に応じた高さ位置で変位部材３２０が上下移動可能に支持され、調整ネジ３３０をネジ軸まわりに回動させたときに、その回動角度とネジピッチとに応じた移動量で変位部材３２０が上下に移動する。このため、調整ネジ３３０の回動角度位置を調整することで、当接部３２６の高さ位置を変位させることができ、開口部から下方に当接部３２６を出没させ、またその突出量を調整することができる。
【００７５】
従って、以上説明した高さ調整機構３００においても、前述した高さ調整機構１００，２００と同様に外枠１０の水平調整および傾斜調整を容易に行うことができ、既述した各高さ調整機構と同様の効果を得ることができる。また本構成の高さ調整機構３００によれば、変位部材３２０の高さ位置調整により当接部３２６が回動するようなことないため、機構構成を小型化および簡明化してコストを低減させつつ作業性が良好な高さ調整機構を提供することができる。
【００７６】
なお、以上説明した各実施例では、変位部材の高さ位置を調整する調整手段として六角ボルト等を利用し、工具を用いて高さ調整を行う形態を例示したが、例えば図１６に平面図（ａ）と側面図（ｂ）とを示すように、把持して回動操作可能なノブ部４３１と、雄ネジ部４３３とを有する十字ノブないし多角形ノブ４３０を用いてもよい。
【００７７】
また、各実施例ではベース部材の前後にフランジ部を形成し、この前後のフランジ部をともに底板（底板部）に固定した形態を例示したが、ベース部材は開口部の上方に位置して取り付けられるものであればよく、例えば前方のフランジ部を幕板に後方のフランジ部を底板に固定し、あるいは前後のフランジ部をともに左側または右側の枠板に固定し、または前方のフランジ部を幕板に後方のフランジ部を側方の枠板に固定するように構成してもよい。
【００７８】
さらに、左右の高さ調整機構におけるいずれか一方の変位部材を当接部が下方に一定量突出した高さ位置に固定し、あるいは左右の高さ調整機構のいずれか一方の調整機構に代えて底板から下向きに突出する固定突起を設け、これら固定された当接部ないし固定突起を基準として水平調整および傾斜調整を行うように構成することも可能である。なお、本発明の枠構造は外枠１０の枠サイズの大小によらず適用可能であることはいうまでもないが、例えば「関東枠」と称される枠サイズの外枠を基本枠とし、この基本枠の外側に所定板厚のスペーサを固定して関東枠よりも幾分大きめの「関西枠」に適用させるような枠構成の場合には、スペーサの整合位置に前述同様の開口部１５ａ等を設けて、当接部１２６等を出没変位させるように構成することができる。
【００７９】
【発明の効果】
以上各実施例において説明したように、本発明では、外郭方形状の外枠に開閉可能に連結された前枠と、この前枠に装備された遊技構成部材とを有する縦型遊技機において、外枠の下部左右にそれぞれ高さ調整機構を設け、各高さ調整機構は、外枠における底板に上下を連通して形成された開口部と、開口部の上方に位置して取り付けられたベース部材と、ベース部材に上下に移動可能に取り付けられ下端の当接部が開口部を通って下方に突出可能に配設された変位部材と、変位部材の高さ位置を調整する調整手段とを備え、左右の調整手段により各変位部材の高さ位置をそれぞれ調整し開口部を通って下方に突出する左右の当接部の張出量を調整することにより、外枠の左右方向の傾きを調整し得るように枠構造を構成する。
【００８０】
このような構成の枠構造によれば、左右の高さ調整機構における変位部材の高さ位置を調整手段によりそれぞれ調整することで開口部を通って下方に突出する左右の当接部の張出量を調整することができ、これにより外枠の傾きを適宜に調整することができる。従って、本発明の高さ調整機構を備えた縦型遊技機では、複数種類の厚さのシムを準備したり、水準器による表示指標から適当と思われるシムの選択調整を繰り返すなど、経験や勘に基づく複雑な調整作業を必要とせず、水準器の表示指標等に応じて左右の調整手段を操作することにより外枠を容易に適正な姿勢・位置に設置することができ、縦型遊技機を適正な姿勢に設置することができる。
【図面の簡単な説明】
【図１】本発明に係る枠構造を備えた縦型遊技機の一例として示すパチンコ機の遊技島への設置状態を示す正面図（ａ）、および背面図（ｂ）である。
【図２】上記パチンコ機の下部領域の平断面図である。
【図３】本発明の枠構造に好適な構成例として示す第１実施例の高さ調整機構の分解斜視図である。
【図４】第１実施例の高さ調整機構の側面図である。
【図５】第１実施例の高さ調整機構の平面図である。
【図６】第１実施例の高さ調整機構の背面図である。
【図７】第１実施例の高さ調整機構の変更例を示す側面図である。
【図８】外枠を仮止めした状態における上記高さ調整機構の側断面図である。
【図９】外枠と島棚板および島上板との関係を示す側面図である。
【図１０】第２実施例の高さ調整機構の斜視図である。
【図１１】第２実施例の高さ調整機構の平面図である。
【図１２】第２実施例の高さ調整機構の背面図である。
【図１３】第２実施例の高さ調整機構の側面図である。
【図１４】第２実施例の高さ調整機構の変更例を示す側面図である。
【図１５】第３実施例の高さ調整機構の斜視図である。
【図１６】高さ調整手段の他の構成例として示す多角形ノブの平面図（ａ）および側面図（ｂ）である。
【符号の説明】
ＰＡ  遊技領域
ＰＭ  パチンコ機
１  上側の開閉連結支持機構（１ａ，１ｂ  ヒンジ金具）
２  下側の開閉連結支持機構（２ａ，２ｂ  ヒンジ金具）
３  施錠装置
４  ガラス扉
５  遊技盤
６  上球皿
７  下球皿
８  発射ハンドル
９  遊技球発射装置
１０  外枠
１１  上枠板
１２  左枠板
１３  右枠板
１４  下枠板
１５  底板（１５ａ  開口部）
１６  幕板
１８  補強金具
１９  受け金具
２０  前枠
２９  座部
３０  裏セット盤
４０  遊技島
４１  島棚板
４２  島上板
４３  化粧扉
４４  報知ランプ
４５  球回収バケット
５０  下枠板
５１  底板部（５１ａ  開口部、５１ｂ  傾斜支持面）
５２  幕板部
５３  側枠支持部
５４  補強リブ
５７  支持ボス
５８  ガイドボス
５９  受け部
１００，１００´  高さ調整機構（第１実施例）
１１０  ベース部材
１１１  変位部材収容部
１１２  ネジ受け孔
１１３  ナット
１１５  前方のフランジ部
１１６  後方のフランジ部
１１７  ネジ挿通孔
１１８  ガイド孔
１２０，１２０´  変位部材
１２１  本体部
１２２  支持孔部
１２３  調整ネジ受容穴
１２５  ネジ係止穴
１２６  当接部
１２７  球面座
１３０，１３０´  調整ネジ
１３１  工具係合部
１３３  雄ネジ部
１３４  支柱部
１３５  ネジ係合溝
１３７  ネジ先端部
１４２  昇降規制ネジ
１４３  座金
１４４  ナット
１４５  サラ小ネジ
１４７  固定ネジ
１４８  固定釘
２００  高さ調整機構（第２実施例）
２１０，２１０´  ベース部材
２１１  変位部材収容部
２１２  ネジ受け孔
２１３  ナット
２１５  前方のフランジ部
２１６  後方のフランジ部
２１７  ネジ挿通孔
２１８  ガイド孔
２２０  変位部材
２２１  工具係合部
２２３  雄ネジ部
２２６  当接部
２４７  固定ネジ
２４８  固定釘
３００  高さ調整機構（第３実施例）
３２０，３２０´  変位部材
３２１，３２１´  本体部
３２３  調整ネジ受容穴
３２５  ネジ係止穴
３２６，３２６´  当接部
３３０  調整ネジ
３３１  工具係合部
３３３  雄ネジ部
３３５  ネジ係合溝
４３０  多角形ノブ
４３１  ノブ部
４３３  雄ネジ部
【図１】
2004329453.tif 000003
【図２】
2004329453.tif 000004
【図３】
2004329453.tif 000005
【図４】
2004329453.tif 000006
【図５】
2004329453.tif 000007
【図６】
2004329453.tif 000008
【図７】
2004329453.tif 000009
【図８】
2004329453.tif 000010
【図９】
2004329453.tif 000011
【図１０】
2004329453.tif 000012
【図１１】
2004329453.tif 000013
【図１２】
2004329453.tif 000014
【図１３】
2004329453.tif 000015
【図１４】
2004329453.tif 000016
【図１５】
2004329453.tif 000017
【図１６】
2004329453.tif 000018